(57)【要約】【課題】楽曲再生装置において、サビ再生で曲の検索をした後、曲の先頭からの再生が終了したら、次の検索候補曲からサビ再生を再開することで、既に検索済みの曲を再検索しなくてもよいようにし、ユーザーの負担を軽減する。【解決手段】各曲データのサビ再生を連続的に行い、再生機器に通常再生キーの入力があれば、その曲の先頭から再生する手段と、指定した曲データのサビ再生を行い、通常再生キーの入力があるか、もしくは一定時間入力がなければ、その曲の先頭から再生する手段と、その曲の先頭からの再生が終了したら、次の検索候補曲からサビ再生を再開する手段を設ける。【選択図】図１
2006059509.tif 000002
【特許請求の範囲】
【請求項１】
ユーザーの入力によって曲の再生方法をサビ再生に決定するサビ再生キー入力ステップと、再生する曲のサビ情報をデータベースから読み込むサビ情報読込ステップと、サビ再生開始を指示するサビ再生指示ステップと、サビ再生または通常再生を行う再生ステップと、通常再生開始を指示する通常再生指示ステップと、ユーザーからの入力によって曲の再生方法を通常再生に決定する通常再生キー入力ステップとを有し、各曲データのサビ再生を連続的に行い、前記通常再生キー入力ステップにおいて通常再生キーの入力があれば再生中の曲の先頭から再生し、再生が終わると次の検索候補曲からサビ再生を再開することを特徴とする楽曲再生方法。
【請求項２】
前記サビ再生キー入力ステップの代わりに、ユーザーからの入力によって曲を指定する曲指定キー入力ステップを備え、前記曲指定キー入力ステップで指定した曲データのサビ再生を行い、前記通常再生キー入力ステップにおいて通常再生キーの入力があるか、もしくは一定時間入力がなければ前記指定した曲の先頭から再生し、再生が終わると次の検索候補曲からサビ再生を再開することを特徴とする楽曲再生方法。
【請求項３】
ユーザーからの入力によって通常再生する曲を予約する予約キー入力ステップと、通常再生する曲の予約を指示する予約指示ステップとをさらに備え、各曲データのサビ再生を連続的に行い、前記予約キー入力ステップにおいて予約キーの入力があれば、曲データと曲のサビ情報と通常再生する曲リストを格納するデータベースの再生曲予約リストにサビ再生中の曲情報を追加するステップと、前記通常再生ステップにおいて通常再生キーの入力があれば、前記再生曲予約リストに登録された曲順に曲の先頭から再生するステップをさらに備えることを特徴とする、請求項１または請求項２に記載の楽曲再生方法。
【請求項４】
前記サビ再生キー入力は、再生のモードを変更することを特徴とする、請求項１から３のいずれか１項に記載の楽曲再生方法。
【請求項５】
前記通常再生キー入力は、選曲決定することを特徴とする、請求項１から４のいずれか１項に記載の楽曲再生方法。
【請求項６】
前記データベース内の曲データは、音声を伴った映像データであることを特徴とする、請求項１から５のいずれか１項に記載の楽曲再生方法。
【請求項７】
前記データベース内のサビ情報は、サビ開始位置情報であることを特徴とする、請求項１から６のいずれか１項に記載の楽曲再生方法。
【請求項８】
前記データベース内のサビ情報は、予め曲データと関連づけられたサビ区間だけの曲データであることを特徴とする、請求項１から６のいずれか１項に記載の楽曲再生方法。
【請求項９】
前記サビ区間は、前記サビ再生指示ステップが決定することを特徴とする、請求項１から７のいずれか１項に記載の楽曲再生方法。
【請求項１０】
請求項１から９のいずれかに記載の楽曲再生方法により楽曲を再生することを特徴とする楽曲再生装置。
【請求項１１】
請求項１から９のいずれか１項に記載の楽曲再生方法を、コンピュータに実行させるためのプログラム。
【請求項１２】
請求項１１に記載のプログラムを記録した媒体。
【発明の詳細な説明】
【技術分野】
【０００１】
本発明は、大量の曲データの中から曲の特徴的な部分の試聴を繰り返しながら、素早く目的の曲を探し出し、容易な操作でその曲の先頭から再生し、先頭からの再生が終了したら、次の検索候補曲から続けて検索を行うことを可能にする楽曲再生装置に関するものである。
【背景技術】
【０００２】
近年、ハードディスクや光ディスクなど、大容量の記録媒体が市場で広く出回るようになった。それに伴い、パソコンを用いた音楽管理ソフトや、大容量記録媒体を用いた音楽再生機器がたくさん登場するようになり、ユーザーは手軽かつ大量に曲を蓄積できるようになった。その一方で、曲を大量に蓄積すればするほど、聴きたい曲を検索する作業が困難になってきた。なぜならば、曲名やアーティスト名で検索しても、表示される情報が必ずしも正しいとは限らず、誤った情報の場合、曲が大量に蓄積されていればいるほど検索に費やす時間が長くなるためである。
【０００３】
こうした状況のなか、最近では曲のサビ部分の再生を可能とする音楽再生装置が登場するようになった。更に、複数の曲ごとにグループに分け、そのグループを選んで再生する場合は、各グループの先頭1曲目のサビ部分の再生を連続して行うというような方法もでてきた（例えば、特許文献１参照。）。このような音楽再生装置では、サビ再生を聴くことにより曲の検索ができるため、誤った情報である可能性はなくなり、その分早く検索することができる上、各グループで１曲のみの再生のため、全曲を検索するより検索数が減るため、検索時間をより短縮することが可能である。しかしながら、現在の楽曲再生装置では、サビ再生による上記のような曲の検索ができても、検索した曲を再生した後再び検索を始める方法がない。
【特許文献１】特開２００３−１３２６５９号公報
【発明の開示】
【発明が解決しようとする課題】
【０００４】
従来の楽曲再生装置では、サビ再生で曲の検索をした時点で検索処理が終了していたため、検索結果を再生した後、再び最初の検索候補曲から曲検索をしなければならず、重複処理となるため、検索に時間がかかる上、ユーザーの負担になってしまうという課題があった。
【課題を解決するための手段】
【０００５】
上記課題を解決するために、各曲データのサビ再生を連続的に行い、再生機器に通常再生キーの入力があれば、その曲の先頭から再生する手段と、指定した曲データのサビ再生を行い、通常再生キーの入力があるか、もしくは一定時間入力がなければ、その曲の先頭から再生する手段と、当該曲の先頭からの再生が終了すると、次の検索候補曲からサビ再生を再開する手段を設ける。
【発明の効果】
【０００６】
各曲データのサビ再生を連続的に行い、再生機器に通常再生キーの入力があれば、その曲の先頭から再生する手段を設けることによって、ユーザーが連続サビ再生による検索を行ったとき、聴きたい曲の先頭から簡単に再生することができ、また、指定した曲データのサビ再生を行い、通常再生キーの入力があるか、もしくは一定時間入力がなければ、その曲の先頭から再生する手段を設けることで、検索した曲のサビ再生中に簡単に、もしくは自動的にその曲の先頭から再生することができ、また、当該曲の先頭からの再生が終了したら、次の検索候補曲からサビ再生を再開する手段を設けることによって、検索結果を再生し終わった後、既に検索済みの曲を再検索することなく、次の検索候補曲から検索する手段が得られる。
【発明を実施するための最良の形態】
【０００７】
（実施の形態１）
本発明の実施の形態１について、図面を参照しながら説明する。図１は本発明における楽曲再生装置の全体構成を示している。図１は本発明の実施の形態１における楽曲再生装置の全体構成を示している。図１において、１１はユーザーからの入力によって曲の再生方法をサビ再生に決定するサビ再生キー入力、１２は再生する曲のサビ情報をデータベース１７から読み込むサビ情報読込手段、１３はサビ再生開始を指示するサビ再生指示手段、１４はサビ再生または通常再生を行う再生手段、１５は通常再生開始を指示する通常再生指示手段、１６はユーザーからの入力によって曲の再生方法を通常再生に決定する通常再生キー入力、１７は曲データと曲のサビ情報を格納するデータベースを表している。図２は、図１のデータベース１７内にあるサビ情報の構造の一例を示した図である。図３は、実施の形態１での処理の流れを示したフロー図である。
【０００８】
以上のように構成された楽曲再生装置について、以下、その動きについて図１を用いて説明する。最初に、ユーザーによってサビ再生キー入力１１が行われ、再生手段がサビ再生であることが決定されると、サビ情報読込手段１２はデータベース１７から第１曲目のサビ情報を読み込み、サビ再生指示手段１３は、再生手段１４にサビ再生を行うよう指示を出す。再生手段１４はサビ情報読込手段１２が読み込んだデータベース１７のサビ情報を元に曲のサビ再生を行う。データベース１７のサビ情報が図２の様であるならば、曲ファイル名００１．ｍｐ３の１分０３秒から２３秒間再生を行うことになる。第１曲目の再生が終了すると、サビ情報読込手段１２は第２曲目のサビ情報（００２．ｍｐ３、２分１５秒、１７秒）を読み込み、サビ再生指示手段１３は再生手段１４にサビ再生を行うよう指示を出す。再生手段１４はサビ情報読込手段１２が読み込んだデータベース１７のサビ情報を元に曲のサビ再生を行う。データベース１７のサビ情報が図２の様であるならば、曲ファイル名００２．ｍｐ３の２分１５秒から１７秒間再生を行う。このように、曲順に従いながらサビの連続再生を行う。上述のようにサビの連続再生を行っている時に、ユーザーから通常再生キー入力１６が行われると、通常再生指示手段１５は再生手段１４に通常再生開始を伝える。仮に第２曲目のサビ再生中であるならば、再生手段１４は、第２曲目のサビ再生を中止し、第２曲目の先頭から再生を始める。第２曲目の通常再生が終わると、再生手段１４はサビ情報読込手段１２に通常再生終了を伝え、サビ情報読込手段１２は、データベース１７から第３曲目のサビ情報を読み込み、サビ再生指示手段１３は再生手段１４にサビ再生を行うよう指示を出す。再生手段１４はデータベース１７のサビ情報を元に曲のサビ再生を行う。
【０００９】
このように、曲順に従いながらサビの連続再生を行い、通常再生キー入力が行われた場合、再生中の曲の先頭から再生を行い、その曲の再生が終了すると、次の曲から引き続きサビの連続再生を行う。
【００１０】
なお、実施の形態１において、サビ再生キー入力１１は、例えば再生のモードを変更するようなキー入力であっても構わない。通常再生キー入力１６は、例えば選曲決定を行うようなキー入力であっても構わない。データベース１７内の曲データは、例えば音声を伴った映像データであっても構わない。データベース１７内のサビ情報は図２で示したサビ開始位置情報の代わりに、予め曲データと関連づけられたサビ区間だけの曲データであってもよい。図２のサビ区間は、サビ再生指示手段１３が決定し、例えば２０秒といった一定の時間であっても構わない。
【００１１】
（実施の形態２）
以下、本発明の実施の形態２について、図面を参照しながら説明する。図４は本発明の実施の形態２における楽曲再生装置の全体構成を示している。図４において、４１はユーザーからの入力によって曲を指定する曲指定キー入力、４２は再生する曲のサビ情報をデータベース４７から読み込むサビ情報読込手段、４３はサビ再生開始を指示するサビ再生指示手段、４４はサビ再生または通常再生を行う再生手段、４５は通常再生開始を指示する通常再生指示手段、４６はユーザーからの入力によって曲の再生方法を通常再生に決定する通常再生キー入力、４７は曲データと曲のサビ情報を格納するデータベースを表している。図５は、本発明の実施の形態２での処理の流れを示したフロー図である。
【００１２】
以上のように構成された楽曲再生装置について、以下、その動きについて図４を用いて説明する。最初に、ユーザーによって曲指定キー入力４１が行われ、再生する曲が決定されると、サビ情報読込手段４２はデータベース４７から再生する曲のサビ情報を読み込み、サビ再生指示手段４３は、再生手段４４にサビ再生を行うよう指示を出す。再生手段４４はサビ情報読込手段４２が読み込んだデータベース４７のサビ情報を元に曲のサビ再生を行う。仮に指定した曲が第２番目の曲で、データベース４７のサビ情報が図２の様であるならば、曲ファイル名００２．ｍｐ３の２分１５秒から１７秒間再生を行うことになる。サビ再生中にユーザーから何も入力がない場合、またはユーザーが通常再生キー入力を行った場合、通常再生指示手段４５は再生手段４４に通常再生開始を伝える。仮に第２曲目のサビ再生１７秒間の間にユーザーから何も入力が行わなければ、再生手段４４は、第２曲目のサビ再生終了後、第２曲目の先頭から再生を始める。また、第２曲目のサビ再生１７秒間の間にユーザーが通常再生キー入力を行った場合は、再生手段４４は、第２曲目のサビ再生を中止し、第２曲目の先頭から再生を始める。第２曲目の通常再生が終わると、再生手段４４はサビ情報読込手段４２に通常再生終了を伝え、サビ情報読込手段４２は、データベース４７から第３曲目のサビ情報を読み込み、サビ再生指示手段４３は再生手段４４にサビ再生を行うよう指示を出す。再生手段４４はデータベース４７のサビ情報を元に曲のサビ再生を行う。
【００１３】
このように、指定した曲のサビ再生を行い、サビ再生中に一定時間入力がない場合、または通常再生キー入力が行われた場合は、再生中の曲の先頭から再生を行い、その曲の再生が終了すると、次曲のサビ再生を行う。
【００１４】
なお、実施の形態２において、曲指定キー入力４１は、例えばサビ再生を決定するキー入力であっても構わない。通常再生キー入力４６は、例えば再生のモードを変更するようなキー入力であっても構わない。データベース４７内の曲データは、例えば音声を伴った映像データであっても構わない。データベース４７内のサビ情報は図２で示したサビ開始位置情報の代わりに、予め曲データと関連づけられたサビ区間だけの曲データであってもよい。図２のサビ区間は、サビ再生指示手段４３が決定し、例えば２０秒といった一定の時間であっても構わない。
【００１５】
（実施の形態３）
本発明の実施の形態３について、図面を参照しながら説明する。図６は本発明の実施の形態３における楽曲再生装置の全体構成を示している。図６において、６１はユーザーからの入力によってサビ再生する曲を決定する曲指定キー入力、６２は再生する曲のサビ情報をデータベース６９から読み込むサビ情報読込手段、６３はサビ再生開始を指示するサビ再生指示手段、６４はサビ再生または通常再生を行う再生手段、６５はユーザーからの入力によって通常再生する曲を予約する予約キー入力、６６は通常再生する曲の予約を指示する予約指示手段、６７はユーザーからの入力によって予約曲の再生開始を決定する予約曲再生キー入力、６８は予約曲の再生開始を指示する予約曲再生指示手段、６９は曲データと曲のサビ情報と通常再生する曲リストを格納するデータベースを表している。図７は、実施の形態３での処理の流れを示したフロー図である。
【００１６】
以上のように構成された楽曲再生装置について、以下、その動きについて図６を用いて説明する。最初に、ユーザーによって曲指定キー入力６１が行われ、サビ再生する曲が決定されると、サビ情報読込手段６２はデータベース６９からサビ再生する曲のサビ情報を読み込み、サビ再生指示手段６３は、再生手段６４にサビ再生を行うよう指示を出す。再生手段６４はサビ情報読込手段６２が読み込んだデータベース６９のサビ情報を元に曲のサビ再生を行う。サビ再生する曲が曲番号第３番目で、データベース６９のサビ情報が図２の様であるならば、曲ファイル名００３．ｍｐ３の０分４８秒から３４秒間再生を行うことになる。指定された曲のサビ再生が終了すると、サビ情報読込手段６２は次曲のサビ情報（００４．ｍｐ３、１分２２秒、２８秒）を読み込み、サビ再生指示手段６３は再生手段６４にサビ再生を行うよう指示を出す。再生手段６４はサビ情報読込手段６２が読み込んだデータベース６９のサビ情報を元に曲のサビ再生を行う。データベース６９のサビ情報が図２の様であるならば、曲ファイル名００４．ｍｐ３の１分２２秒から２８秒間再生を行う。このように、曲順に従いサビの連続再生を行う。上述のようにサビの連続再生を行っている時に、ユーザーから予約キー入力６５が行われると、予約指示手段６６はデータベース６９の再生曲予約リストにサビ再生中の曲情報を加え、再生手段６４にサビ再生中の曲の通常再生予約を伝えて、再生手段６４は次曲のサビ再生を開始する。仮に第３曲目のサビ再生中であるならば、予約指示手段６６はデータベース６９の再生曲予約リストに第3曲目の曲情報を加え、再生手段６４は、第３曲目のサビ再生を中止し、第４曲目のサビ再生を開始する。
【００１７】
このように、曲順に従いながらサビの連続再生を行い、予約キー入力が行われた場合、再生曲予約リストにサビ再生中の曲情報を加え、次曲のサビ再生を引き続き行っている時に、予約曲再生キー入力６７が行われると、予約曲再生指示手段６８が再生手段６４に予約曲の再生を行うよう指示を出し、再生手段６４はデータベース６９の再生曲予約リストに登録されている曲順に、曲の先頭から通常再生を始める。
【００１８】
なお、実施の形態３において、曲再生キー入力６１は、例えば再生のモードを変更するようなキー入力であっても構わない。データベース６９内の曲データは、例えば音声を伴った映像データであっても構わない。データベース６９内のサビ情報は図２で示したサビ開始位置情報の代わりに、予め曲データと関連づけられたサビ区間だけの曲データであってもよい。図２のサビ区間は、サビ再生指示手段１３が決定し、例えば２０秒といった一定の時間であっても構わない。予約曲再生キー入力６７の代わりに、例えばデータベース６９内の曲再生を１周した時点で予約曲再生指示手段６８を発動させてもよい。
【産業上の利用可能性】
【００１９】
本発明は、大量の曲データを検索するとき、簡単な操作で聴きたい曲をすばやく検索、再生することができ、さび再生から通常再生された曲の再生終了後、次の再生候補曲から検索を再開できる楽曲再生装置を実現できるため、ハードディスクやメモリーを使ったポータブルオーディオ商品、パソコン上で動作する音楽再生・編集アプリケーションソフト、カーオーディオ商品、カラオケ検索システム、ＤＶＤレコーダーやＨＤＤレコーダーなど大容量記録媒体を持つ音楽再生可能な装置、また音楽に限らず音声を伴った映像再生装置、映像再生・編集アプリケーションソフトなどで利用可能性がある。
【図面の簡単な説明】
【００２０】
【図１】本発明の実施の形態１に於ける楽曲再生装置の全体構成を示した図
【図２】本発明の実施の形態１に於いて図１のデータベース１７内にあるサビ情報の構造の一例を示した図
【図３】本発明の実施の形態１に於ける処理の流れを示したフロー図
【図４】本発明の実施の形態２に於ける楽曲再生装置の全体構成を示した図
【図５】本発明の実施の形態２に於ける処理の流れを示したフロー図
【図６】本発明の実施の形態３に於ける楽曲再生装置の全体構成を示した図
【図７】本発明の実施の形態３に於ける処理の流れを示したフロー図
【符号の説明】
【００２１】
１１、４１    サビ再生キー入力
１２、４２、６２    サビ情報読込手段
１３、４３、６３    サビ再生指示手段
１４、４４、６４    再生手段
１５、４５    通常再生指示手段
１６、４６    通常再生キー入力
１７、４７、６９    データベース
６１    曲指定キー入力
６５    予約キー入力
６６    予約指示手段
６７    予約曲再生キー入力
６８    予約曲再生指示手段
【図１】
2006059509.tif 000003
【図２】
2006059509.tif 000004
【図３】
2006059509.tif 000005
【図４】
2006059509.tif 000006
【図５】
2006059509.tif 000007
【図６】
2006059509.tif 000008
【図７】
2006059509.tif 000009